(57)【要約】【課題】外部の空気との接触を好適に防止できる表面圧力維持装置を提供すること。【解決手段】衣料品２の一部分または全体を構成し、衣料品２の外側に向かって開放し、その長手方向に沿って設けられた複数の開口１２を有する中空のチューブ１１と、空気を圧縮し、糸状体内にその圧縮された空気を送出するロータリコンプレッサと、前記空気を清浄化する空気清浄部とを有する空気調整装置とを備えた表面圧力維持装置１であって、ロータリコンプレッサによりチューブ１１に送出された空気が、チューブ１１の中空部を流れ、複数の開口１２から放出されることにより、衣料品２から外側に向かう空気流が形成されるよう構成されていることを特徴とする。【選択図】図１
2005298986.tif 000002
【特許請求の範囲】
【請求項１】
身に付けるものの一部分または全体を構成し、該身に付けるものの外側に向かって開放し、その長手方向に沿って設けられた複数の開口を有する中空の糸状体と、
空気を圧縮し、前記糸状体内にその圧縮された空気を送出する空気圧縮手段と、前記空気を清浄化する空気清浄手段とを有する空気調整装置とを備えた表面圧力維持装置であって、
前記空気圧縮手段により前記糸状体に送出された空気が、該糸状体内を流れ、前記複数の開口から放出されることにより、前記身に付けるものから外側に向かう空気流が形成されるよう構成されていることを特徴とする表面圧力維持装置。
【請求項２】
身に付けるものの一部分または全体を構成し、該身に付けるものの外側に向かって開放し、その長手方向に沿って設けられた複数の開口を有する中空の糸状体と、
空気を圧縮し、前記糸状体内にその圧縮された空気を送出する空気圧縮手段と、前記空気を清浄化する空気清浄手段とを有する空気調整装置とを備えたユニットを複数有する表面圧力維持装置であって、
前記空気圧縮手段により前記糸状体に送出された空気が、該糸状体内を流れ、前記複数の開口から放出されることにより、前記身に付けるものから外側に向かう空気流が形成されるよう構成されていることを特徴とする表面圧力維持装置。
【請求項３】
前記ユニットが互いに接続されて構成される請求項２に記載の表面圧力維持装置。
【請求項４】
前記圧縮された空気の送出により前記糸状体の近傍の圧力を大気圧より大きい圧力に保持するよう構成されている請求項１ないし３のいずれかに記載の表面圧力維持装置。
【請求項５】
前記空気調整装置は、前記糸状体に対して着脱可能に設けられている請求項１ないし４のいずれかに記載の表面圧力維持装置。
【請求項６】
前記空気清浄手段は、前記空気圧縮手段の上流側に設けられている請求項１ないし５のいずれかに記載の表面圧力維持装置。
【請求項７】
前記糸状体は、さらに前記身に付けるものの内側に向かって開放する複数の開口を有する請求項１ないし６のいずれかに記載の表面圧力維持装置。
【請求項８】
前記糸状体内の圧力を検出する圧力検出手段と、
前記圧力検出手段により検出された圧力が所定の圧力以上のときに、エラーである旨を報知する報知手段とを有する請求項１ないし７のいずれかに記載の表面圧力維持装置。
【請求項９】
前記糸状体内の圧力を検出する圧力検出手段と、
第１の閾値と、該第１の閾値より小さく、かつ設定値より大きい第２の閾値とを有し、
前記圧力検出手段により検出された圧力値が、第２の閾値より大きく、かつ、前記第１の閾値より小さい場合は、前記空気圧縮手段により空気を圧縮する圧力を増加させるよう構成されている請求項１ないし７のいずれかに記載の表面圧力維持装置。
【請求項１０】
前記圧力検出手段により検出された圧力値が前記第１の閾値以上のときに、エラーである旨を報知する報知手段を有する請求項９に記載の表面圧力維持装置。
【請求項１１】
前記空気清浄手段は、雰囲気中に含まれる粒子を除去する粒子除去手段と、雰囲気中に含まれる臭気を伴う物質を除去する臭気分解手段とで構成されている請求項１ないし１０のいずれかに記載の表面圧力維持装置。
【請求項１２】
前記ガス分解手段は、紫外線の照射で光励起した光触媒で生成された活性酸素により臭気を伴う物質を分解して除去するものである請求項１１に記載の表面圧力維持装置。
【請求項１３】
前記空気調整装置は、前記糸状体内を流れる空気をマイナスイオン化するイオン化手段を有する請求項１ないし１２のいずれかに記載の表面圧力維持装置。
【請求項１４】
前記糸状体には、導電性を有する被覆層が設けられており、該被覆層をマイナスに帯電させる帯電手段を有し、前記開口から放出されるマイナスイオン化された空気が、前記被覆層と互いに反発し、これにより、前記空気流が形成されるよう構成されている請求項１３に記載の表面圧力維持装置。
【請求項１５】
前記糸状体には、導電性を有する被覆層が設けられており、該被覆層を利用して前記糸状体から静電気を除去する静電気除去手段を有する請求項１ないし１４のいずれかに記載の表面圧力維持装置。
【請求項１６】
前記空気調整装置は、雰囲気中の粒子量を検出し、その検出結果に基づいて前記糸状体内に送出する空気の圧縮率を増減させる粒子量検出手段を有する請求項１ないし１５のいずれかに記載の表面圧力維持装置。
【請求項１７】
前記複数の開口の大きさは、それぞれ前記空気圧縮手段に対して離間するに従い大きく構成される請求項１ないし１６のいずれかに記載の表面圧力維持装置。
【請求項１８】
前記身に付けるものは、下着、靴下、帽子、マスク、ネクタイ、ズボン、上着、コート、洋服、着物等の衣料品と、ネックレス等の装飾品と、時計、メガネ等の装身具と、カバン、傘、携帯電話等の手回り品とのうちの少なくとも１つである請求項１ないし１７のいずれかに記載の表面圧力維持装置。
【発明の詳細な説明】
【技術分野】
【０００１】
本発明は、表面圧力維持装置に関するものである。
【背景技術】
【０００２】
従来技術におけるタバコの煙などを除去する方法の代表的なものを以下に列挙する。
（１）フィルタにより煙の粒子状物質の除去する方法
（２）静電気で煙の粒子状物質を吸着する方法
（３）光触媒で煙のガス状物質を分解する方法
（４）活性炭で煙のガス状物質を吸着する方法
（５）プラズマにより発生するオゾンで煙のガス状物質を分解する方法
【０００３】
しかしながら、これらの従来技術を使用している市販の空気清浄機においては、煙などのみを吸い込み除去するということだけを目的としており、愛煙者および嫌煙者間での同居並びに共存という事を目的とはしていないものであった。
また、これらの設備を小型軽量化して嫌煙者に持たせれば部屋全体での煙の量は減少するが、嫌煙者の周辺のみを無煙化する事はできないという問題があった。
【０００４】
更に、愛煙者の気分を害することなく愛煙者および嫌煙者間での同居並びに共存を可能するという最終的な目的を達成することは不可能であった。
また、オフィスや電車内で分煙する市販システムが知られている（例えば、特許文献１参照）。これは、空気の流れを発生させて煙の流れる方向を制御する事で禁煙ゾーンと喫煙ゾーンとを生成して分離された空間を設けるというものである。
しかしながら、このシステムでは、同じ空間内に喫煙者と嫌煙者を同居および共存する事は可能となるがシステムも大型化するという問題がある。
また、愛煙家と嫌煙者が混在した空間（生活環境内）で、両者が共に満足できる空間を提供する事も不可能であるという問題もあった。
【０００５】
【特許文献１】特開平９−１９３７９３号公報
【発明の開示】
【発明が解決しようとする課題】
【０００６】
本発明の目的は、外部の空気との接触を好適に防止できる表面圧力維持装置を提供することにある。
【課題を解決するための手段】
【０００７】
このような目的は、下記の本発明により達成される。
本発明の表面圧力維持装置は、身に付けるものの一部分または全体を構成し、該身に付けるものの外側に向かって開放し、その長手方向に沿って設けられた複数の開口を有する中空の糸状体と、
空気を圧縮し、前記糸状体内にその圧縮された空気を送出する空気圧縮手段と、前記空気を清浄化する空気清浄手段とを有する空気調整装置とを備えた表面圧力維持装置であって、
前記空気圧縮手段により前記糸状体に送出された空気が、該糸状体内を流れ、前記複数の開口から放出されることにより、前記身に付けるものから外側に向かう空気流が形成されるよう構成されていることを特徴とする。
これにより、糸状体の開口から外側に向かって清浄化された空気の流れが存在し、外部の空気が糸状体に接触することを確実に防止することができる。
【０００８】
本発明の表面圧力維持装置は、身に付けるものの一部分または全体を構成し、該身に付けるものの外側に向かって開放し、その長手方向に沿って設けられた複数の開口を有する中空の糸状体と、
空気を圧縮し、前記糸状体内にその圧縮された空気を送出する空気圧縮手段と、前記空気を清浄化する空気清浄手段とを有する空気調整装置とを備えたユニットを複数有する表面圧力維持装置であって、
前記空気圧縮手段により前記糸状体に送出された空気が、該糸状体内を流れ、前記複数の開口から放出されることにより、前記身に付けるものから外側に向かう空気流が形成されるよう構成されていることを特徴とする。
糸状体の開口から外側に向かって清浄化された空気の流れが存在し、ユニットを複数有することにより、より確実に外部の空気が糸状体に接触することを防止することができる。
【０００９】
本発明の表面圧力維持装置では、前記ユニットが互いに接続されて構成されることが好ましい。
これにより、さらに確実に外部の空気が糸状体に接触することを防止することができる。
本発明の表面圧力維持装置では、前記圧縮された空気の送出により前記糸状体の近傍の圧力を大気圧より大きい圧力に保持するよう構成されていることが好ましい。
これにより、空気の障壁（バリア）を構成することができ、外部の空気が糸状体に接触することを確実に防止することができる。
【００１０】
本発明の表面圧力維持装置では、前記空気調整装置は、前記糸状体に対して着脱可能に設けられていることが好ましい。
これにより、身に付けるものを軽量化することができる。また、１つの空気調整装置で多数の糸状体に対応することができる。
本発明の表面圧力維持装置では、前記空気清浄手段は、前記空気圧縮手段の上流側に設けられていることが好ましい。
これにより、容易かつ確実に糸状体内に送出する空気を清浄化することができる。
【００１１】
本発明の表面圧力維持装置では、前記糸状体は、さらに前記身に付けるものの内側に向かって開放する複数の開口を有することが好ましい。
これにより、容易に、ムレを防止することができる。
本発明の表面圧力維持装置では、前記糸状体内の圧力を検出する圧力検出手段と、
前記圧力検出手段により検出された圧力が所定の圧力以上のときに、エラーである旨を報知する報知手段とを有することが好ましい。
これにより、装置の安全性を向上させることができる。
【００１２】
本発明の表面圧力維持装置では、前記糸状体内の圧力を検出する圧力検出手段と、
第１の閾値と、該第１の閾値より小さく、かつ設定値より大きい第２の閾値とを有し、
前記圧力検出手段により検出された圧力値が、第２の閾値より大きく、かつ、前記第１の閾値より小さい場合は、前記空気圧縮手段により空気を圧縮する圧力を増加させるよう構成されていることが好ましい。
糸状体内がふさがれたときは、圧力を増加させることにより、ふさがれた部分に圧力を加えて容易に回復させることができる。
本発明の表面圧力維持装置では、前記圧力検出手段により検出された圧力値が前記第１の閾値以上のときに、エラーである旨を報知する報知手段を有することが好ましい。
これにより、装置の安全性を向上させることができる。
【００１３】
本発明の表面圧力維持装置では、前記空気清浄手段は、雰囲気中に含まれる粒子を除去する粒子除去手段と、雰囲気中に含まれる臭気を伴う物質を除去する臭気分解手段とで構成されていることが好ましい。
これにより、雰囲気中に含まれる有害な粒子や不快な臭気を確実に除去することができる。
本発明の表面圧力維持装置では、前記ガス分解手段は、紫外線の照射で光励起した光触媒で生成された活性酸素により臭気を伴う物質を分解して除去するものであることが好ましい。
これにより、容易かつ確実に臭気を除去することができる。
【００１４】
本発明の表面圧力維持装置では、前記空気調整装置は、前記糸状体内を流れる空気をマイナスイオン化するイオン化手段を有することが好ましい。
これにより、糸状体からマイナスイオンを放出することができ、使用者はリラックス効果が得られる。
本発明の表面圧力維持装置では、前記糸状体には、導電性を有する被覆層が設けられており、該被覆層をマイナスに帯電させる帯電手段を有し、前記開口から放出されるマイナスイオン化された空気が、前記被覆層と互いに反発し、これにより、前記空気流が形成されるよう構成されていることが好ましい。
これにより、より確実に空気の流れを形成することができる。
【００１５】
本発明の表面圧力維持装置では、前記糸状体には、導電性を有する被覆層が設けられており、該被覆層を利用して前記糸状体から静電気を除去する静電気除去手段を有することが好ましい。
これにより、確実に静電気を除去することができ、外部の空気が糸状体に接触することを防止することができる。また、静電気による、塵・埃等の吸着を防止することが出来る。
【００１６】
本発明の表面圧力維持装置では、前記空気調整装置は、雰囲気中の粒子量を検出し、その検出結果に基づいて前記糸状体内に送出する空気の圧縮率を増減させる粒子量検出手段を有することが好ましい。
これにより、より確実に外部の空気が糸状体に接触することを防止することができる。
本発明の表面圧力維持装置では、前記複数の開口の大きさは、それぞれ前記空気圧縮手段に対して離間するに従い大きく構成されることが好ましい。
これにより、開口から放出される空気の圧力を一定にすることができる。
【００１７】
本発明の表面圧力維持装置では、前記身に付けるものは、下着、靴下、帽子、マスク、ネクタイ、ズボン、上着、コート、洋服、着物等の衣料品と、ネックレス等の装飾品と、時計、メガネ等の装身具と、カバン、傘、携帯電話等の手回り品とのうちの少なくとも１つであることが好ましい。
これにより、広範囲において、また、これらを組み合わせることにより、さらに確実に、外部の空気が糸状体に接触することを防止することができる。
本発明の表面圧力維持装置では、前記粒子除去手段は、粒子より細かい目開きを備えたフィルタであることが好ましい。
これにより、確実に粒子を除去することができる。
【発明を実施するための最良の形態】
【００１８】
以下、発明の表面圧力維持装置を、添付図面に示す好適実施形態に基づいて詳細に説明する。
図１は、本発明の表面圧力維持装置の第１実施形態を示す概要図、図２は、空気調整装置を説明する図、図３はコンプレッサの模式的な縦断面図、図４は、コンプレッサの横断面図、図５は、ロータリコンプレッサおよび空気清浄部の動作説明を示したロータリコンプレッサおよび空気清浄部の動作説明図である。
図１（ａ）および図１（ｂ）に示すように、表面圧力維持装置１は、衣料品（被服）（図示例では上着）２と、図２に示すようにチューブ１１の端部に設けられる空気調整装置３とを有している。以下にこれらの各構成要素について順次説明する。
【００１９】
衣料品２には、チューブ１１が、衣料品２に対して編み込まれて設けられている。（チューブ１１が衣料品２の一部を構成している。）
チューブ１１は、中空の糸状をなしており、内部に各種の空気（気体）を流通させる中空部（流路）２５を有している。このチューブ１１は、弾性を有する部材で構成されている。
【００２０】
このチューブ１１の側部には、衣料品２の内部から外部への方向に（外側へ向かって）、チューブ１１の内部と外部との空気の移動を可能にする複数の孔部１２が、チューブ１１の長手方向に沿って所定の間隔で設けられている。
なお孔部１２の間隔は、特に限定されない。この孔部１２の間隔は、一定であってもよいし、一定でなくてもよく、また、規則性を有していてもよいし、規則性を有していなくてもよい。
【００２１】
チューブ１１の構成材料としては、特に限定されないが、例えば、ポリアミド、ポリエステル等が挙げられる。また、微細チューブに用いられる高強度材のポリイミドを使用してもよい。
また、チューブ１１の外径は、０．１ｍｍ〜１ｍｍ程度が好ましく、０．１ｍｍ〜０．５ｍｍ程度がより好ましい。ただし、チューブの外径は、より細い方が好ましいが、空気の圧縮率や、孔から放出される空気量により、適宜設定しなければならず、上記の外径に限定されるものではない。
チューブ１１の外径を前記のものにすることにより、チューブ１１内に、効率よく空気を流通させることができる。
【００２２】
図２に示すように、このチューブ１１の一端側には、空気調整装置３が設けられている。
空気調整装置３は、図３に示すようにその周辺から取り込まれた空気（気体）を大気圧以上に圧縮した圧縮空気をチューブ１１の中空部２５に送出するロータリコンプレッサ（空気圧縮手段）１０と、ロータリコンプレッサ１０の上流側（前段）に設けられ、放出する空気を清浄化する空気清浄部（空気清浄手段）３０とを備えている。
ロータリコンプレッサ１０は、図５に示すように周壁部１３Ａ及び端板部１３Ｂ、１３Ｃを有するシリンダ１３を備えている。周壁部１３Ａは円筒状に構成され、その内周面１３ａは円筒面となっている。端板部１３Ｂ、１３Ｃはそれぞれ平板状に構成され、その内面１３ｂ、１３ｃは平坦面となっている。
【００２３】
駆動軸１４は、端板部１３Ｂと１３Ｃにより回転自在に軸支されている。この駆動軸１４は、シリンダ１３内に配置されたロータ１５に接続されている。ロータ１５は、駆動軸１４に固定された内側ロータ１５Ａと、この内側ロータ１５Ａに対して回転自在に外嵌された外側ロータ１５Ｂとを有している。本実施形態では、内側ロータ１５Ａは駆動軸１４に対して偏心して取り付けられている。また、内側ロータ１５Ａは円筒状の外周面を有する。一方、外側ロータ１５Ｂは円筒状に構成され、円筒状の内周面と、円筒状の外周面１５ｂとを備えている。なお、内側ロータ１５Ａと外側ロータ１５Ｂとを相互に摺動しやすくするために、外側ロータ１５Ｂの内周面の内径を、内側ロータ１５Ａの外周面の外径よりも大きく構成してある。
【００２４】
ロータ１５の外周面１５ｂ上には弾性層１７が形成されている。この弾性層１７は弾性変形により厚さ変化可能な弾性素材で構成される。この弾性素材としては、天然若しくは人造（合成）ゴム、ウレタン樹脂など、弾性変形により厚さ変化可能であるものが好ましい。また、或る程度圧縮された状態で実質的に気体を透過させない密閉性が得られるものであることが望ましい。最も好ましい弾性素材としては、シリコーンゴム、フッ素ゴム、ウレタンゴム、ＮＢＲ（ニトリルゴム）、ＩＩＲ（ブチルゴム）などが挙げられる。
【００２５】
弾性層１７は、ロータ１５の外周面１５ｂの全体を被覆している。弾性層１７とロータ１５とは単に圧接状態で保持されていてもよいが、弾性層１７をコーティングによりロータ外周面に形成することによって固着状態とし、或いは、弾性層１７をロータ外周面に接着等によって固着させることが好ましい。
シリンダ１３の内周面１３ａと、ロータ１５の外周面１５ｂとの間において弾性層１７は圧縮状態にある。そして、ロータ１５は、弾性層１７を介してシリンダ１３の内周面１３ａ上を圧接状態で転がり回転するように構成されている。
【００２６】
図４に示すようにシリンダ１３の一部（図示上部）には溝１８が設けられ、この溝１８内には、ベーン２０が出没自在に配置されている。ベーン２０は溝１８内に収容された弾性部材（バネ）１９によって常時シリンダ１３内に向けて付勢されている。そして、ベーン２０の先端部（当接部）は、ロータ１５の外周面１５ｂ上の弾性層１７に常に押し付けられている。
上記ベーン２０の両側のシリンダ１３の壁面には吸入口２１と吐出口２２が設けられている。ここで、図示例のように吐出口２２には吐出方向にのみ開く一方向弁を設けることが好ましい。このような構成により、シリンダ１３内には、ベーン（２０）で仕切られた吸入室２３Ａと圧縮室２３Ｂとがロータ１５の両側に構成されるようになっている。
【００２７】
以上説明したロータリコンプレッサ１０においては、駆動軸１４が回転すると、ロータ１５がシリンダ１３内で図示時計回りに回転し、これにより吸入室２３Ａの容積増大と、圧縮室２３Ｂの容積減少とが並行して生じ、吸入口２１における気体の吸入と、吐出口２２における気体の吐出とが並行して発生する。
このとき、ロータ１５においては、内側ロータ１５Ａが駆動軸１４とともに偏心回転し、これによって外側ロータ１５Ｂが内側ロータ１５Ａに対して摺動しながら弾性層１７とともにシリンダ１３の内周面１３ａ上を転がり回転していく。ここで、弾性層１７はシリンダ１３の内周面１３ａに対して常に圧接された状態となっているため、ロータ１５の外周面１５ｂ、弾性層１７及びシリンダ１３の内周面１３ａとの圧接部分における密閉性は確実に保持される。
【００２８】
また、ベーン２０の先端部も弾性部材１９によりロータ１５を被覆している弾性層１７の表面に押接されているため、ロータ１５とベーン２０との間の密閉性も向上する。
上記構成によって、圧縮室２３Ｂにおける圧力損失が低減されるため、駆動軸１４を低速で回転させたときであっても、十分に圧縮された気体を吐出口２２から排出することができる。
【００２９】
このロータリコンプレッサ１０により圧縮され、吐出口２２から排出された圧縮空気は、チューブ１１に送出され、孔部１２を介してチューブ１１の外部に放出される。従って、圧縮空気の吐出時においては、孔部１２の近傍は、大気圧以上の圧力を保ち、孔部１２から離れるにともない、しだいに大気圧と略同じ気圧となる。
すなわち、常にチューブ１１の外側に向かっての圧縮空気は服の表面の外気圧よりも高い気圧を維持しており、境界（空気の障壁）２４を構成している。
これにより、図２中矢印ａで示すように、チューブ１１の中空部２５から孔部１２を介してチューブ１１の外側に向かっての空気の流れ（空気流）が形成され、粒子１００および臭気（図示せず）が衣料品２に接触することを防止することができる。
【００３０】
ロータリコンプレッサ１０は外部の空気（外気）を吸入口２１から取り込むが、この際に臭気および有害な粒子１００（以下単に粒子１００という）を含んだ空気を取り込む可能性があるため、外気の吸入口２１には図３に示すような空気清浄部３０が取り付けられている。
この空気清浄部３０は、吸入口３１と、粒子１００を除去するフィルタ（粒子除去手段）３２と臭気除去手段（ガス分解手段）３３とを有している。
【００３１】
フィルタ３２は、吸入口３１と、臭気除去手段３３との間に、両者を隔てるように設置されている。これにより、外気がフィルタ３２を通過することで、フィルタ３２の目開き（目の大小）Ｍ以上の粒径の粒子１００は、フィルタ３２に付着して捕捉される。これにより、目開きＭ以上の粒径の粒子１００がチューブ１１に混入するのを好適に防止することができる。
【００３２】
フィルタ３２の目開きＭは特に限定されず、使用目的に応じて適宜設定することができるが、通常は、０．３μｍ粒子に対して９９．９７％以上の捕集効率をもつＨＥＰＡフィルタを採用するのが好ましい。
臭気除去手段３３は、光触媒に光を照射する紫外線インバータランプ３４と、光触媒である酸化チタン（ＴｉＯ２）３５とを有している。
【００３３】
この紫外線インバータランプ３４から、酸化チタン３５に対して紫外線を照射することにより、電子（ｅ-）が励起されホール（ｈ+）を発生する。電子は酸素をスーパーオキサイドイオン（Ｏ２-）に、ホールは水を水酸基ラジカル（・ＯＨ）に変える。この２つの物質は、強力な酸化力をもっているため、例えば、アンモニア、ホルムアルデヒド、アセトアルデヒドおよび硫化水素等の悪臭物質を酸化分解することができる。
【００３４】
以下、空気清浄部３０の動作（作用）について説明する。
まず、ロータリコンプレッサ１０が作動し、吸入口２１から外気を取り込む動作を開始すると、ロータリコンプレッサ１０の吸入口２１が負気圧となり、ロータリコンプレッサ１０の外部からの空気の流入を促進する。
これにより、吸入口３１から外気が取り込まれ、外気がフィルタ３２を通過することで、フィルタ３２の目開きＭ以上の粒径の粒子１００は、フィルタ３２に付着して捕捉される。その後、フィルタ３２を通過した外気はインバータランプ３４により光励起した酸化チタン３５で生成された活性酸素により、前述した悪臭物質が酸化分解され、臭気が除去される。そして、臭気が除去された外気は、ロータリコンプレッサ１０で圧縮されて、チューブ１１内に送り込まれる。
【００３５】
また、本実施形態では、光触媒を用いてガスを分解し、除去する方法を用いたが、それに限られず、例えば、活性炭により、ガス成分を付着させ、除去する方法や、薬品を用いてガスと化学的に反応（中和）させて分解し除去する方法や、放電により発生するプラズマを用いて除去する方法等が挙げられる。
また、本実施形態では、フィルタ３２を用いて粒子１００を除去する方法を用いたが、それに限らず、例えば、静電気による煙粒子の吸着による除去等が挙げられる。
【００３６】
図６は、衣料品に対する空気調整装置の配置関係を説明する図である。
図６の左側に示すように空気調整装置３は、衣料品２と着脱可能に別体になってよいし、右側に示すように衣料品２の中に空気調整装置３が組み込まれていてもよい。
空気調整装置３を衣料品２と別体としたときは、複数の衣料品に対して、１つの空気調整装置３で対応することができるため、使用者が装着したい衣料品に編みこんであるチューブ１１に空気調整装置３を付け替えるだけで、簡単に対応することができる。
【００３７】
また、空気調整装置３を必要としない場合には、衣料品から取り外すことにより軽量化を図ることができる。
また、空気調整装置３と衣料品２とを一体的に構成した場合は、使用者が衣料品２を装着したときの空気調整装置３に対しての違和感を軽減することができる。
また、いずれの場合においても、衣料品の内部にチューブ（中空状の糸）１１を編みこむ構成としているため、従来の衣料品と何ら変わる所がほとんど無く、違和感なく使用することが可能である。
【００３８】
以上説明したように、この表面圧力維持装置１によれば、衣料品２のチューブ１１の中空部２５から孔部１２を介してチューブ１１の外側に向かっての空気の流れが存在し、粒子１００が衣料品２に接触することを防止することができるため、本装置の使用者（嫌煙者）のみが、防煙等の効果を享受することができる。
従来の分煙装置（電車等）では、喫煙者と嫌煙者とは、それぞれ、別個の空間により仕切られて存在するしかなく、入り混じった状態で共存することはできなかったが、本発明によれば、喫煙者と嫌煙者が入り混じったような空間でも、互いが満足できる空間を提供することが可能となる。
【００３９】
また、従来の装置は、大きな空気の流れを作り、排煙するという発想に基づいて、室内全体の空気を吸込み清浄するという構造であるため、周囲に気付かれずに防煙することは困難で、しかも衣服に組み込むのは不可能であったが、本発明では、煙を近づけないという新しい発想に基づいて、大気圧と使用者との間に、少しの圧力変化を生じさせる小型の空気圧縮装置を設けることにより、防煙効果を実現することができる。
また、チューブ１１が、衣服に組み込まれているため、本装置を使用中であることが、周囲の人に悟られない。すなわち、喫煙者の気分を害することなく同じ空間で共存することができる。
【００４０】
なお、本実施形態では、チューブ１１の孔部１２の空気放出の方向は、同一方向としたが、特に限定されず、例えば、孔部１２がチューブ１１に対してランダムに設けられていてもよい。この場合、圧縮空気が衣料品２の外側方向に放出されるだけでなく、内側にも放出されることになるので好ましい。すなわち、夏場など汗でムレやすい時期に、圧縮空気が衣料品２の内側へ放出されることにより、ムレを防止するという新たな効果も生まれる。
また、チューブ１１上での孔部１２の大きさは空気圧縮装置に近いほど小さく、遠いほど大きいのが好ましい。これにより、孔部１２から放出される圧縮空気の強さを均一化して、ロータリコンプレッサ１０に対して遠い孔部１２でも十分な圧縮空気の放出量を得ることができる。
【００４１】
更に、チューブ１１における孔部１２の分布密度を適宜変化させることにより、使用者の所望の防煙効果が得られる。
また、本実施形態では、チューブ１１は衣料品２に編みこまれて設けられているが、それに限らず、編みこむ以外の方法で設けてもよいし、チューブ１１が衣料品２の全体を形成していてもよい。また、編みこむ場合においても、通常の糸との配合率は自由に設定することができ、これによりデザインの自由度が高くなる。
【００４２】
次に、本発明の表面圧力維持装置の第２実施形態について説明する。
図７（ａ）は、本実施形態のチューブと空気調整装置と吸入用チューブとの配置の関係を説明する図、図８は、本実施形態におけるチューブの配置とその効果の関係を示した図である。
以下、第２実施形態の表面圧力維持装置１について、前述した第１実施形態との相違点を中心に説明し、同様の事項については、その説明を省略する。
【００４３】
第２実施形態の表面圧力維持装置１は、衣料品２に対して空気調整装置３を複数設けた点と、空気調整装置３の吸入口を延長する中空状の吸入用チューブ４１を設けた点が異なっている。
図７（ａ）に示すように、第２実施形態の表面圧力維持装置１では、吸入用チューブ４１が、空気調整装置４３のチューブ１１１と反対側に設けられている。
この吸入用チューブ４１の吸入口４２の配置個所としては、特に限定されず、例えば、空気調整装置４３に対して全く別の場所（例えば靴近く）から吸入されてもよい。
【００４４】
以下、本実施形態の表面圧力維持装置の動作（作用）について説明する。
図７（ａ）に示すように、吸入用チューブ４１を介して空気調整装置４３から吸い込まれた外気は、空気調整装置４３のロータリコンプレッサ１０により圧縮されて、空気調整装置４３の吐出口２２からチューブ１１１へ送られる。これにより、チューブ１１１の孔部１２から外部へ圧縮空気が放出される。チューブ１１１の終端（空気調整装置４３側の反対側）には、空気調整装置４４が接続されており、チューブ１１１の孔部１２から放出されなかった圧縮空気を吸入し、再び圧縮してチューブ１１２へ送り込む。更に、チューブ１１２の終端には、空気調整装置４５が備えられており、チューブ１１２の孔部１２から放出されなかった圧縮空気を吸入し、再び圧縮を行う。以降の空気調整装置４６、４７に対しても同様の動作を行う。
【００４５】
これらの各チューブ１１１〜１１５と、各空気調整装置４３〜４７とを前述した配置（直列配置）にすることにより、各チューブの終端側で圧力低下が生じたときに、次の（後段の）空気調整装置で再び元の圧力（大気圧よりも正の圧力）に戻すことが可能になる。これによって、各チューブの全区間に渡って均一な（放出圧力）を保持することが可能になる。
【００４６】
すなわち、各チューブをフレキシブルに配置することが可能になると共に、衣料品２のデザイン等に柔軟性が生まれる。
また、１台の（１つの）空気調整装置３で服全体に圧縮空気を送り込む場合と比較して、空気調整装置３を複数設けたことで服全体の圧力を均一化すると共に、１つ当たりの空気調整装置３の圧縮能力を低くできるので、空気調整装置３の小型化を図ることができる。
【００４７】
また、空気調整装置４４以降は、その上流側（前段）に設けられた空気調整装置（例えば、空気調整装置４５の場合は空気調整装置４４を示す）から供給される空気圧の量と、圧縮前のチューブ（例えば、空気調整装置４５の場合は、チューブ１１２を示す）から放出される空気圧の量との差より少ない空気量を、該当する空気調整装置（今回の例では空気調整装置４５）にて取り込むように設定するのが好ましい。
これにより、各孔部１２からの空気の逆流（吸込）を容易に防止することができる。
【００４８】
また、図７（ｂ）に示すように、互いに接続された吸入用チューブ４１と空気調整装置３とチューブ１１とを１つのユニットとし、これを複数ユニット備えた配置（並列配置）としてもよい。
これにより、所望の部位に複数のユニットを配設することで、より確実に防煙することが可能になる。すなわち、各部位に応じた圧力コントロールが可能になり、例えば、頭部のみ圧力を高くしたい場合は、首部付近に多くのユニットを配置することで実現することができる。
更に、図７（ａ）に示したひとつの吸入口４２と複数の空気調整装置３とを有する組み合わせを１つのユニットとし、これを図７（ｂ）のように複数ユニット備えた配置としてもよい（図示せず）。これにより、前述した直列配置と並列配置との両方の効果を得ることができる。
【００４９】
ところで、前述したように、チューブ１１の孔部１２は、空気調整装置３からの距離が離れるに従って圧力が低下し、孔部１２から放出される空気の圧力に差が生じる。この事を利用して、図８に示すように、使用者が、表面圧力維持装置１を着用するときに、衣料品２の顔部（頭部）の近傍に、空気調整装置３に近い部分のチューブ１１を配置することで、顔（頭）全体を覆うように、比較的高い空気圧の空気を孔部１２から、送出することができ、好ましい。
【００５０】
また、顔部や、頭部に限られず、重点的に圧力を高めたい場所を空気調整装置３に近い部分に配置することで、簡易な構成で、適切な圧力分布を実現することが可能になる。
また、所望の圧力分布を得る方法としてこの他、例えば、孔の大きさおよび孔の数（密度）を調節する等が挙げられる。
また、空気調整装置３内にヒータ等の温度調節手段を備えることにより、他の部分より、足部のみ高い温度の圧縮空気を送出したりするような、細かい温度コントロールも可能になる。
【００５１】
以下、発明の表面圧力維持装置の第３実施形態について説明する。
図９は、空気圧検出手段および制御手段を示すブロック図（動作説明図）、図１０は、空気圧検出手段での処理を表示したフローチャートである。
以下、第３実施形態の表面圧力維持装置１について、前述した第１実施形態との相違点を中心に説明し、同様の事項については、その説明を省略する。
【００５２】
第３実施形態の表面圧力維持装置１は、例えば、チューブ１１が折り曲げられる等により、チューブ１１の中空部２５における空気の圧力（流れ）が変化したときに、その圧力変化を検出する圧力検出手段７を備えている点が異なっている。
図９に示すように、第３実施形態の表面圧力維持装置１は、圧力検出手段７を有している。
【００５３】
この圧力検出手段７は、圧力センサ７０と、コントローラ（制御部）７１と、ドライバ７２と、警告手段（報知手段）７３とで構成されている。
圧力センサ７０は、図９に示すように空気調整装置３の下流側（後段）に設けられている。この圧力センサ７０は、チューブ１１の中空部２５を流れる空気の圧力を所定時間毎に測定する。この圧力センサ７０の出力側には、コントローラ７１が設けられている。
【００５４】
コントローラ７１は、予め設定された圧力のデータ（圧力データ）および圧力センサ７０により得られた圧力のデータに基づいて、コンプレッサ１０から出力される空気圧の制御を行う等、各種センサから得られた測定結果（測定値）に基づいて演算を行うために設けられている。
また、コントローラ７１には、第１の閾値である許容範囲の圧力値Ｐｌｉｍｉｔ（以下単にＰｌｉｍｉｔと言う）と、第１の閾値より小さいＰａ（第２の閾値）とが格納されている。このＰａは、表面圧力維持装置１の通常の使用状態において、後述するＰｓよりも
充分大きい値に設定されている。
【００５５】
このコントローラ７１の出力側には、ドライバ７２と、警告手段７３とが設けられている。
ドライバ７２は、例えば、コントローラ７１と空気調整装置３との絶縁および電圧変換のために設けられており、このドライバ７２を介してコントローラ７１の制御信号を空気調整装置３に送信する。
警告手段７３は、コンプレッサ１０から出力される空気圧が、Ｐｌｉｍｉｔ以上の場合に、コントローラ７１からの指令を受けて、衣料品２の装着者に対して警告を行うために設けられている。この警告手段７３としては、特に限定されないが、例えば、ＬＥＤ等が挙げられる。
【００５６】
以下、圧力検出手段７の動作（作用）について、詳細に説明する。
まず、初期処理として、コントローラ７１からドライバ７２を介して空気調整装置３に対して空気圧値Ｐｓ（以下単にＰｓと言う）を出力する命令（データ）が送られる（ステップＳ２）。ロータリコンプレッサ１０は、この命令に基づいて、チューブ１１に対しＰｓの空気（圧縮空気）を出力する。
【００５７】
次に、所定時間において、圧力センサ７０が、圧力を測定し（ステップＳ３）、その測定値（設定値）Ｐｍ（以下単にＰｍという）がコントローラ７１に通知される。
次に、コントローラ７１は、圧力センサ７０により測定されたＰｍとＰｓとが等しいか否かを比較判定する（ステップＳ４）。ＰｍとＰｓとが等しい場合には（ステップＳ４のＹｅｓ）、圧力センサ７０からのＰｍの通知を待機する。
【００５８】
ＰｍとＰｓとが等しくない場合には（ステップＳ４のＮｏ）、ＰｍがＰｓより小さいか否かを比較判定して（ステップＳ５）、ＰｓがＰｍより大きい場合には（ステップＳ５のＹｅｓ）、コントローラ７１は、演算を行い、Ｐｓに、ＰｓとＰｍとの差分ΔＰｉを加算した、Ｐｓ＋ΔＰｉを新たな空気圧値Ｐｓとして、空気調整装置３に対してＰｓを出力する命令を送信する（ステップＳ６）。
【００５９】
一方、ＰｓがＰｍ以下の場合には（ステップＳ５のＮｏ）、コントローラ７１は、ＰｍがＰａより大きいか否かを比較判定して（ステップＳ７）、ＰｍがＰａより大きい場合には（Ｐｍが、Ｐｓに対して所定範囲の圧力値であれば）（ステップＳ７のＮｏ）、コントローラ７１は演算を行い、Ｐｓに、ＰｓとＰｍとの差分−ΔＰｉを加算した（ΔＰｉを減算した）Ｐｓ−ΔＰｉを新たな空気圧値Ｐｓとして、空気調整装置３に対してＰｓを出力する命令を送信する（ステップＳ８）。
【００６０】
ＰｍがＰａより大きい場合には（中空部２５の空気圧値が、Ｐｓよりも遥かに高い場合には）（ステップＳ７のＹｅｓ）、コントローラ７１は、前述したＰｓ＋ΔＰｉを新たな空気圧値として、空気調整装置３に対してＰｓを出力する命令を送信する（ステップＳ９）。そして、圧力センサ７０からのＰｍの測定値の通知を待機する（ステップＳ１０）。
その後、コントローラ７１は、圧力センサ７０で測定したＰｍの測定値が、Ｐｌｉｍｉｔ≦Ｐｓ＋ΔＰｉ（ステップＳ１１）か否かの判定を行い、判定結果が肯定（中空部２５の空気圧が許容範囲の圧力値Ｐｌｉｍｉｔを超えた状態）の場合には（ステップＳ１１のＹｅｓ）、警告信号の出力およびＰｓ＝０の出力（ステップＳ１２）表示を行う。
【００６１】
判定結果が否定（ステップＳ１１のＮｏ）の場合には、Ｐｓ＜＜Ｐｍの判定を行い（ステップＳ１３）、判定の結果、肯定（ステップＳ１３のＹｅｓ）の場合には、ステップＳ９に移行し、以後前述した動作を引き続き行う。
一方、判定の結果、否定（ステップＳ１３のＮｏ）の場合には、ステップＳ３に移行し、以後前述した動作を引き続き行う。
【００６２】
前述した制御を行うことにより、チューブ１１の中空部２５において、測定した空気圧が、Ｐｓよりも遥かに高い場合には（急激な圧力の上昇が見られるときには）、コントローラ７１が、チューブ１１が折り曲がっていると判断し、若干空気圧を増加する制御を行うことにより、チューブ１１の折り曲がりを元に復元させる制御が行われる。
また、前述の制御で、中空部２５の空気圧が上昇した状態が改善されずに、許容範囲の圧力値Ｐｌｉｍｉｔを超えると判断した場合は、コントローラ７１は、チューブ１１の折り曲がりが改善されない、または、他の原因により異常が生じたと判断し、警告を出すことにより使用者に異常を知らせることができ、確実に防煙できるシステムを実現することができる。
更に装置の安全装置としても利用することが可能になるとともに確実性および安全性の向上を図ることができる。
【００６３】
次に、本発明の表面圧力維持装置の第４実施形態について説明する。
図１１は、本実施形態におけるマイナスイオン発生の動作を示す図である。
以下、第４実施形態の表面圧力維持装置１について、前述した第１実施形態との相違点を中心に説明し、同様の事項については、その説明を省略する。
第４実施形態の表面圧力維持装置１は、空気調整装置３にイオン化装置９を備えている点が異なっている。
【００６４】
図１１に示すように、第４実施形態の表面圧力維持装置１の空気調整装置３は、イオン化装置９を備えている。
本実施形態のイオン化装置９は、導電コート９０と、先端が尖った形状であるイオン化針９１と、アース線９３に接続された高電圧発生装置９２とで構成されている。
導電コート９０は、チューブ１１の外周を覆うように形成されており、高電圧発生装置９２の動作によりマイナスの高電圧に帯電されている。
【００６５】
イオン化針９１は、高電圧発生装置９２に接続されており、高電圧発生装置９２の動作により間歇的に負極性の高電圧が印加される。
イオン化針９１に印加された負極性の高電圧により針状電極先端から自由電子が放出され、周囲の分子と結合することにより、イオン化針９１周囲にマイナスイオン９４を生成する。
すなわち、吸入した空気をマイナスイオン化して、孔部１２から放出することで衣料品２の周辺をマイナスイオンの雰囲気下とする。そして、導電コート９０（マイナス電極）とマイナスイオンとが反発することで、衣料品２から外側に向かう強い空気の流れが生じる。
【００６６】
この表面圧力維持装置１によれば、前述した第１実施形態の表面圧力維持装置１と同様の効果が得られる。
そして、この表面圧力維持装置１では、防煙などの外気遮断効果が増幅されて、確実な防煙などの外気遮断が可能となると共に衣料品２の使用者は、常にマイナスイオンに浸れることで、人間が森林中で得るのと同様のリラックス効果が得られる。
【００６７】
次に、本発明の表面圧力維持装置の第５実施形態について説明する。
図１２は、本発明の表面圧力維持装置の第５実施形態を示す説明図である。
以下、第５実施形態の表面圧力維持装置１について、前述した第１実施形態との相違点を中心に説明し、同様の事項については、その説明を省略する。
第５実施形態の表面圧力維持装置１は、アース線を備えている点が異なっている。
【００６８】
図１２に示すように、第５実施形態の表面圧力維持装置１は、チューブ１１の外周面に接続されたアース線９３を備えており、導電コート９０は、アース線９３を介してアース（グランド）に接続されている。
この表面圧力維持装置１によれば、前述した第１実施形態の表面圧力維持装置１と同様の効果が得られる。
そして、この表面圧力維持装置１では、衣料品２に帯電した静電気を除去する機能を有することにより、静電気力による衣料品２に対する粒子１００の吸い寄せを防ぐことができ、確実な防煙を行うことができる。
【００６９】
次に、本発明の表面圧力維持装置の第６実施形態について説明する。
図１３は、本発明の表面圧力維持装置の第６実施形態を示す斜視図である。
以下、第６実施形態の表面圧力維持装置１について、前述した第１実施形態との相違点を中心に説明し、同様の事項については、その説明を省略する。
第６実施形態の表面圧力維持装置１は、粒子量検出手段６０を備えている点が異なっている。
【００７０】
図１３に示すように、第６実施形態の表面圧力維持装置１の空気圧縮装置３は、粒子量検出手段６０を備えている。
粒子量検出手段６０は、熱線型半導体式センサ６１と、Ａ／Ｄコンバータ６２とで構成されている。
熱線型半導体式センサ６１は、空気清浄部３０の上流側（前段）に設けられ、半導体６３と、半導体６３の内部に埋設された抵抗６４とで構成されている。この熱線型半導体式センサ６１は、煙等の微粒子が、半導体６３の表面に付着したときに、抵抗６４の抵抗値が変化するよう構成されている。また、この抵抗６４の両端は、Ａ／Ｄコンバータ６２に接続されている。
【００７１】
Ａ／Ｄコンバータ６２は、熱線型半導体式センサ６１により得られた、アナログ値（アナログデータ）である抵抗値をデジタル値（デジタルデータ）に変換する。
Ａ／Ｄコンバータ６２の出力側は、コントローラ７１に接続されている。コントローラ７１およびドライバ７２は、第３実施形態にて説明したものと同等のものであるため説明は省略する。
【００７２】
以下、作用を示す。
まず、コントローラ７１は、熱線型半導体式センサ６１からの抵抗値を監視し、抵抗値が所定値の場合は（外気から空気調整装置３に吸入される外気内での煙などの微粒子数が所定個数に達したときは）、コントローラ７１が演算を行い、空気調整装置３に対して適切な圧力値を出力する命令を送信することにより、圧縮率を変化させることによって放出する空気の量を増減させる。
この際、コントローラ７１での制御形態は、特に限定されず、例えば、熱線型半導体式センサ６１にて、所定個数以上の微粒子を検出すると、放出する空気の量を増やすように制御してもよいし、熱線型半導体式センサ６１にて検出される微粒子の個数に応じて放出する空気の量を増減させるように制御してもよい。
【００７３】
この表面圧力維持装置１によれば、前述した第１実施形態の表面圧力維持装置１と同様の効果が得られる。
そして、この表面圧力維持装置１では、衣料品２の周辺での外気に含まれる煙の量などの微粒子数（微粒子密度）を検出して測定することで、放出する圧縮空気の量を微粒子密度の量に対応して変化させることにより、常に最適な環境を維持できるようにすることができる。
【００７４】
また、孔部１２のチューブ１１上での分布および分布密度を変更して、その分布および分布密度の異なる各種の外気遮断効果および外気遮断領域が異なる所定の種類のチューブ１１を準備しておいて、衣料品２の使用者からのオーダーに応じたオーダ・メイドの衣料品２が製造できる。
また、空気調整装置３内に衣料品２の使用者の好みに応じた香りを発生させる香料の空気吐出手段を設けてもよい。
【００７５】
圧縮した空気に香りを含ませることで衣料品２の使用者の周辺が、常に使用者の好みに応じた香りで充満した状態となり、快適な空間が提供できる。また、フィトンチッド等の芳香性物質を含ませることでニオイのガス成分をマスキングすることもできる。
これらの香料を使用する事で、心地よい香りだけでなくタバコのにおい等も同時に脱臭できる事にもなり、前述した空気清浄装置との相乗効果が得られ、更に高い防煙効果を実現することができる。
【００７６】
また、これらの香料に除菌成分を含ませることで風邪等の菌から身を守る細菌除去手段を備えることもできる。
また、空気調整装置３内にヒータ等の熱発生手段またはベルチェ素子等の冷却手段を備えてもよい。空気調整装置３内で圧縮された空気を同時に暖めたり冷やしたりすることで衣料品２の使用者の周りの空気の温度を常に最適な温度にする適温空気吐出手段を備えることが可能になり、快適な空間を提供することができる。
【００７７】
また、空気清浄部３０には、外気の湿度を測定して、前述の最適な気温での最適な湿度に調整した空気を吐出する適湿空気吐出手段を更に備えてもよい。この際、外部から水を供給するだけでなく、空気清浄部３０のガス分解手段（臭気除去手段）３１で放出される水を再利用するのが好ましい。
これにより、特に冬場等乾燥している環境において、常に最適な湿度を保つことが可能となる。例えば、風邪を引き起こす原因の１つの乾燥を防ぐことができるだけでなく、乾燥肌の人の肌を守ることもできる効果がある。
なお、前記各実施形態では、コンプレッサとして、ロータリコンプレッサを用いたが、それに限られず、気体の供給系と排出系とを備えたコンプレッサであれば、特に限定されない。
【００７８】
また、前記各実施形態では、空気圧縮装置と、空気清浄部３０とを一体的に構成したが、それに限られず、別個に構成してもよい。
また、前記各実施形態では、表面圧力維持装置１を、衣料品２に対して適用した場合として説明したが、身に付けるものであれば、特に限定されない。身に付けるものとしては、例えば、下着、靴下、帽子、マスク、ネクタイ、ズボン、上着、コート、洋服、着物等の衣料品（被服）、また、ネックレス、時計、メガネ等の装身具や装飾品、カバンや傘、携帯電話などの手回り品等が挙げられ、本発明は、これらのうちの１つまたは複数に適用することができる。
一例として、下着、スラックスおよび上着を装着し、足元には靴、靴下、頭部には帽子、マスク、眼鏡等を着用する事で、防煙機能を各部位に分散させ、確実で効果的なシステムを実現する事ができる。
【００７９】
以上、本発明の表面圧力維持装置を、図示の実施形態に基づいて説明したが、本発明はこれに限定されるものではなく、各部の構成は、同様の機能を有する任意の構成のものに置換することができる。また、本発明に、他の任意の構成物が付加されていてもよい。
また、本発明は、前記各実施形態のうちの、任意の２以上の構成（特徴）を組み合わせたものであってもよい。
また、本発明の表面圧力維持装置の用途は、防煙に限定されず、例えば、塵・埃、インフルエンザ等の病原菌、杉やヒノキ等の花粉の衣類への付着防止等にも好適に用いることができる。
【図面の簡単な説明】
【００８０】
【図１】本発明の表面圧力維持装置の第１実施形態を示す概要図である。
【図２】空気調整装置の動作を説明する図である。
【図３】空気調整装置における空気清浄化手段の動作を説明する図である。
【図４】コンプレッサの模式的な縦断面図である。
【図５】コンプレッサの横断面図である。
【図６】図１に示す表面圧力維持装置における空気調整装置の配置関係を説明する図である。
【図７】第２実施形態におけるチューブと空気調整装置と吸入用チューブとの配置の関係を説明する図である。
【図８】第２実施形態におけるチューブの配置とその効果との関係を示した図である。
【図９】圧力検出手段および制御手段を示すブロック図（動作説明図）である。
【図１０】空気圧検出手段での処理を表示したフローチャートである。
【図１１】第４実施形態におけるマイナスイオン発生の動作を示す図である。
【図１２】第５実施形態におけるチューブへの導電コーティングを示す図である。
【図１３】第６実施形態における粒子量検出手段の動作を示す図である。
【符号の説明】
【００８１】
１……表面圧力維持装置  ２……衣料品  ３、４３、４４、４５、４６、４７……空気調整装置  １１、１１１、１１２、１１３、１１４、１１５……チューブ  １２……孔部  １０……ロータリコンプレッサ  １３……シリンダ  １３Ａ……周壁部  １３Ｂ、１３Ｃ……端板部  １３ａ……内周面  １３ｂ、１３ｃ……内面  １４……駆動軸  １５……ロータ  １５Ａ……内側ロータ  １５Ｂ……外側ロータ  １５ｂ……外周面  １７……弾性層  １８……溝  １９……弾性部材（バネ）  ２０……ベーン  ２１……吸入口  ２２……吐出口  ２３Ａ……吸入室  ２４……境界  ２５……中空部  ３０……空気清浄部  ３１……吸入口  ３２……フィルタ  ３２……臭気除去手段  ３４……インバータランプ  ３５……酸化チタン  ４１……吸入用チューブ  ４２……吸入口  ７……圧力検出手段  ７０……圧力センサ  ７１……コントローラ  ７２……ドライバ  ７３……警告手段  ９０……導電コート  ９１……イオン化針  ９２……高電圧発生装置  ９３……グランド（アース）  ９４……マイナスイオン  ６０……粒子量検出手段  ６１……熱線型半導体式センサ  ６２……Ａ／Ｄコンバータ  ６３……半導体  ６４……抵抗  １００……粒子
【図１】
2005298986.tif 000003
【図２】
2005298986.tif 000004
【図３】
2005298986.tif 000005
【図４】
2005298986.tif 000006
【図５】
2005298986.tif 000007
【図６】
2005298986.tif 000008
【図７】
2005298986.tif 000009
【図８】
2005298986.tif 000010
【図９】
2005298986.tif 000011
【図１０】
2005298986.tif 000012
【図１１】
2005298986.tif 000013
【図１２】
2005298986.tif 000014
【図１３】
2005298986.tif 000015